(57)【要約】【課題】多様な事象に対応可能なプラントの訓練シナリオを作成することができる支援装置を得る。【解決手段】事象データ記憶部１１１には、原因となる１次事象と、結果として生じる２次事象と、１次事象が発生してから２次事象が発生するまでの遅延時間とを含む事象データが記憶されており、作成条件入力部１０１から訓練の開始時刻および訓練開始の発端となる開始事象が入力され、訓練シナリオ作成部１２１は開始事象を１次事象として含む事象データを事象データ記憶部１１１から抽出し、さらに抽出した事象データ中の２次事象を１次事象として有する事象データを抽出する動作を繰り返し、抽出された事象データの中の１次事象および２次事象を、開始時刻および開始事象の発生を起点にしてかつ遅延時間に基づいて時系列に配置して訓練シナリオを作成する。【選択図】図１
2018106013.tif 000002
【特許請求の範囲】
【請求項１】
複数の機器を有するプラントの訓練シナリオ作成支援装置であって、事象データ記憶部と作成条件記憶部と訓練シナリオ作成部とを備え、
前記事象データ記憶部は、事象データを記憶するものであって、
前記事象データは、原因となる１次事象と前記１次事象の結果として生じる２次事象と前記１次事象が発生してから前記２次事象が発生するまでの時間である遅延時間とを含むものであり、
作成条件記憶部は、訓練シナリオを作成する上での作成条件を記憶するものであって、
前記作成条件は、前記訓練シナリオの訓練開始の起点とされる開始事象を含むものであり、
前記訓練シナリオ作成部は、前記事象データ記憶部から前記開始事象を前記１次事象として含む事象データを抽出し、該抽出された事象データの中の前記２次事象を前記１次事象として有する事象データを前記事象データ記憶部から抽出し、さらに、この抽出された事象データの中の前記２次事象を前記１次事象として有する事象データを前記事象データ記憶部から抽出し、前記抽出された事象データの中の前記１次事象および前記２次事象を前記開始事象ごとに前記開始事象の発生時点を起点にしてかつ前記遅延時間に基づいて時系列に配置して訓練シナリオを作成し、出力装置に出力するものである
プラントの訓練シナリオ作成支援装置。
【請求項２】
手順数を記憶する手順数記憶部を有するものあって、
前記手順数は、前記１次事象または前記２次事象が発生したときに従うべき手順の数であり、
前記訓練シナリオ作成部は、難易度算出部を有し、
前記難易度算出部は、前記抽出された事象データの中の前記１次事象および前記２次事象の前記手順数に基づいて前記訓練シナリオごとに難易度を算出し前記出力装置に出力するものである
請求項１に記載のプラントの訓練シナリオ作成支援装置。
【請求項３】
付加情報を記憶する付加情報記憶部を有するものであって、
前記付加情報は、前記事象データに関連づけられたものであって、訓練に必要な人数と、前記１次事象または前記２次事象が発生したときに関係する前記機器の機器情報と、前記１次事象または前記２次事象が発生したときに従うべき手順を定めた手順書情報との少なくとも一つを含むものであり、
前記訓練シナリオ作成部は、前記抽出された事象データに関連づけられた前記付加情報を前記付加情報記憶部から取り出し前記出力装置に出力するものである
請求項１または請求項２に記載のプラントの訓練シナリオ作成支援装置。
【請求項４】
前記付加情報記憶部は、前記機器情報および前記手順書情報の双方を含むものであり、
前記訓練シナリオ作成部は、前記抽出された事象データに対応する前記機器情報および前記手順書情報を抽出機器情報および抽出手順書情報として取り出し前記出力装置に出力するものである
請求項３に記載のプラントの訓練シナリオ作成支援装置。
【請求項５】
前記訓練シナリオ作成部は、前記抽出機器情報および前記抽出手順書情報を識別できるようにして全体の前記機器情報および全体の前記手順書情報を前記出力装置に出力するものである
請求項４に記載のプラントの訓練シナリオ作成支援装置。
【請求項６】
前記事象データ記憶部は、遅延時間変更情報を記憶するものであって、
前記遅延時間変更情報は、前記事象データごとに前記遅延時間の変更可否と変更遅延時間とを含むものであり、
前記訓練シナリオ作成部は、前記抽出された事象データに対応する前記遅延時間変更情報を前記事象データ記憶部から取り出し、前記遅延時間と併せて前記出力装置に出力するものである
請求項１から請求項５のいずれか１項に記載のプラントの訓練シナリオ作成支援装置。
【請求項７】
付加情報を記憶する付加情報記憶部を有するものであって、
前記付加情報は、前記事象データに関連づけられたものであって、訓練に必要な人数と、前記１次事象または前記２次事象が発生したときに関係する前記機器の機器情報と、前記１次事象または前記２次事象が発生したときに従うべき手順を定めた手順書情報とを含むものであり、
前記作成条件記憶部は、前記訓練の開始時刻、前記訓練の終了時刻、前記訓練に要する人数の範囲、および前記関係する機器のうちの少なくとも一つを含む制限条件を記憶するものであり、
前記訓練シナリオ作成部は、前記作成された訓練シナリオから前記制限条件に適合するものを選択し、前記出力装置に出力するものである
請求項１に記載のプラントの訓練シナリオ作成支援装置。
【請求項８】
過去訓練シナリオ記憶部を有するものであって、
前記過去訓練シナリオ記憶部は、過去に実施した訓練シナリオを記憶するものであり、
前記訓練シナリオ作成部は、難易度修正部を有し、
前記難易度修正部は、前記作成された訓練シナリオと前記過去に実施した訓練シナリオとの類似度に応じて前記難易度を修正するものである
請求項２に記載のプラントの訓練シナリオ作成支援装置。
【請求項９】
前記プラントは原子力プラントである
請求項１から請求項８のいずれか１項に記載のプラントの訓練シナリオ作成支援装置。
【請求項１０】
通報義務基準を記憶する通報義務基準記憶部を有するものであって、
前記通報義務基準は、前記事象データに対応して定められ外部機関に通報が求められる基準であり、
前記訓練シナリオ作成部は、前記抽出された事象データに対応する前記通報義務基準を前記通報義務基準記憶部から取り出し前記抽出された事象データの中の前記１次事象および前記２次事象とともに時系列に配置し前記出力装置に出力するものである
請求項９に記載のプラントの訓練シナリオ作成支援装置。
【発明の詳細な説明】
【技術分野】
【０００１】
本発明は、プラントの訓練シナリオ作成支援装置に関する。
【背景技術】
【０００２】
従来のプラントの訓練シナリオ作成支援装置としての電力系統模擬装置において、故障が発生する直前の実系統状態を保存する手段と、故障発生時の各機器の状変を時系列に保存する電力系統状変保存手段と、これらの保存手段のデータを用いて電力系統模擬用の訓練シナリオを編集するための手段とを設けたものがある（例えば、特許文献１参照）。
【先行技術文献】
【特許文献】
【０００３】
【特許文献１】特開平８−１１０８０９号（段落番号００１４および図１）
【発明の概要】
【発明が解決しようとする課題】
【０００４】
従来のプラントの訓練シナリオ作成支援装置としての電力系統模擬装置は以上のように構成され、保存手段のデータを用いて訓練シナリオを編集しているので、過去に発生したことはないが将来発生する可能性のある事象例えば大地震などを想定して行う訓練には対応しておらず、多様な訓練シナリオを作成するのに適したものとは言えないという問題点があった。
【０００５】
この発明は前記のような問題点を解決するためになされたものであり、多様な事象に対応可能なプラントの訓練シナリオを作成することができるプラントの訓練シナリオ作成支援装置を得ることを目的とする。
【課題を解決するための手段】
【０００６】
この発明に係るプラントの訓練シナリオ作成支援装置においては、
複数の機器を有するプラントの訓練シナリオ作成支援装置であって、事象データ記憶部と作成条件記憶部と訓練シナリオ作成部とを備え、
前記事象データ記憶部は、事象データを記憶するものであって、
前記事象データは、原因となる１次事象と前記１次事象の結果として生じる２次事象と前記１次事象が発生してから前記２次事象が発生するまでの時間である遅延時間とを含むものであり、
作成条件記憶部は、訓練シナリオを作成する上での作成条件を記憶するものであって、
前記作成条件は、前記訓練シナリオの訓練開始の起点とされる開始事象を含むものであり、
前記訓練シナリオ作成部は、前記事象データ記憶部から前記開始事象を前記１次事象として含む事象データを抽出し、該抽出された事象データの中の前記２次事象を前記１次事象として有する事象データを前記事象データ記憶部から抽出し、さらに、この抽出された事象データの中の前記２次事象を前記１次事象として有する事象データを前記事象データ記憶部から抽出し、前記抽出された事象データの中の前記１次事象および前記２次事象を前記開始事象ごとに前記開始事象の発生時点を起点にしてかつ前記遅延時間に基づいて時系列に配置して訓練シナリオを作成し、出力装置に出力するものである。
【発明の効果】
【０００７】
この発明に係るプラントの訓練シナリオ作成支援装置は、
訓練シナリオ作成部が、事象データ記憶部から開始事象を１次事象として含む事象データを抽出し、抽出された事象データの中の２次事象を１次事象として有する事象データを事象データ記憶部から抽出し、さらに抽出された事象データの中の２次事象を１次事象として有する事象データを抽出し、抽出された事象データの中の１次事象および２次事象を開始事象ごとに開始事象の発生時点を起点にしてかつ遅延時間に基づいて時系列に配置して訓練シナリオを作成し、出力装置に出力するものであるので、
多様な事象に対応可能なプラントの訓練シナリオを作成することができる。
【図面の簡単な説明】
【０００８】
【図１】この発明の実施の形態１に係るプラントの訓練シナリオ作成支援装置（以下、支援装置と略称する）の構成を示すブロック図である。
【図２】図１の支援装置を実現するためのハードウェアの構成図である。
【図３】図１の支援装置の動作を説明するためのフローチャートである。
【図４】作成条件の入力画面を示す説明図である。
【図５】抽出された事象データのツリーを示す説明図である。
【図６】別の順序に従って事象データを抽出する経路を示す説明図である。
【図７】事象データのデータベースを示す説明図である。
【図８】ＥＡＬ（後述）のデータベースを示す説明図である。
【図９】手順数のデータベースを示す説明図である。
【図１０】作成された訓練シナリオの画面を示す説明図である。
【図１１】実施の形態２である支援装置の構成を示すブロック図である。
【図１２】図１１の支援装置の動作を説明するためのフローチャートである。
【図１３】第１付加情報のデータベースを示す説明図である。
【図１４】第２付加情報のデータベースを示す説明図である。
【図１５】作成された訓練シナリオの画面を示す説明図である。
【図１６】実施の形態３である支援装置の構成を示すブロック図である。
【図１７】図１６の支援装置の動作を説明するためのフローチャートである。
【図１８】全機器と訓練の対象となる機器との関係を示す説明図である。
【図１９】全手順書と訓練の対象となる手順書との関係を示す説明図である。
【図２０】実施の形態４である支援装置の構成を示すブロック図である。
【図２１】作成条件の入力画面を示す説明図である。
【図２２】実施の形態５である支援装置の構成を示すブロック図である。
【図２３】図２２の支援装置の動作を説明するためのフローチャートである。
【発明を実施するための形態】
【０００９】
実施の形態１．
以下の実施の形態においては、原子力プラントの事故を模擬して事故時対応能力の検証や評価を行うために集団で行う防災訓練のためのものであって、模擬する事故としての事象や対応操作の流れなどを示した訓練シナリオを作成する場合について説明する。なお、事象として、原因となる１次事象と、１次事象発生にともなって結果として引き起こされる２次事象とがあり、１次事象と２次事象とは原因と結果との関係で連なっている。図１〜図１０は、この発明を実施するための実施の形態１を示すものであり、図１は支援装置の構成を示すブロック図、図２は図１の支援装置を実現するためのハードウェアの構成図、図３は図１の支援装置の動作を説明するためのフローチャートである。図４は作成条件の入力画面を示す説明図、図５は抽出された事象データのツリーを示す説明図、図６は別の順序に従って事象データを抽出する経路を示す説明図である。図７は事象データのデータベースを示す説明図、図８はＥＡＬのデータベースを示す説明図、図９は手順数のデータベースを示す説明図、図１０は作成された訓練シナリオの画面を示す説明図である。
【００１０】
図１において、支援装置１０は、作成条件入力部１０１、作成条件記憶部１０２、事象データ記憶部１１１、ＥＡＬ記憶部１１２、手順数記憶部１１３、訓練シナリオ作成部１２１、出力装置としての表示装置１３１を有する。訓練シナリオ作成部１２１は、難易度算出部１２１ａ、訓練シナリオ選択部１２１ｂ、画面データ作成部１２１ｃを有する。作成条件記憶部１０２には、作成条件入力部１０１から入力される作成条件とともに訓練シナリオを作成する上での作成条件が予め標準の値（デフォルト値）として記憶されている。
【００１１】
事象データ記憶部１１１には、事象データが、例えば図７のようなデータベースＤＢ１として記憶されている。事象データは、原因となる１次事象、結果として発生する２次事象、１次事象が発生してから２次事象が発生するまでの時間である遅延時間、遅延時間の変更の可否、変更後遅延時間をデータ項目として有する。なお、遅延時間の変更の可否とは、遅延時間を変更して（例えば短縮して）（本来は２次事象発生まで３時間かかるが、１時間で発生とするなど）訓練が可能か否かの遅延時間の変更可否および可能な場合の変更後遅延時間（図７では、固定値で示しているが、幅を持たせる場合もある）が記憶されている。ある原因となる１次事象例えば地震により引き起こされる（結果として発生する）２次事象は、一つに限られず、多くの場合、１次事象は複数の２次事象の発生を招くので、図７に示すように一つの１次事象（例えば地震）と対にされる２次事象は複数あり、事象データは複数存在する場合が多い。
【００１２】
ＥＡＬ記憶部１１２には、例えば図８に示すように事象（１次事象および２次事象）から発生しうるＥＡＬ番号が、事象と対応させてその必要な条件とともにデータベースＤＢ２として格納されている。国などの外部機関への通報が求められる通報義務基準としての緊急時活動レベル（ＥＡＬ（Ｅｍｅｒｇｅｎｃｙ  Ａｃｔｉｏｎ  Ｌｅｖｅｌ））とは、事故の発生やその程度を判断する基準であり、原子力プラントの事故時にはＥＡＬに従った国への通報が求められる。区分として、「警戒事象：ＡＬ」、「特定事象：ＳＥ」、「緊急事態事象：ＧＥ」の３つの区分からなり、それぞれ０１〜６３までの番号が設定されている。なお、すべての番号に事象が設定されているわけではない。区分として、例えば「ＡＬ１１：原子炉停止機能の異常のおそれ」、「ＳＥ２５：全交流電源の３０分以上喪失」などがある。
【００１３】
以上に説明した作成条件記憶部１０２、事象データ記憶部１１１、ＥＡＬ記憶部１１２、手順数記憶部１１３、訓練シナリオ作成部１２１は、図２に示すような計算機において、プロセッサ１がメモリ２や補助記憶装置としてのハードディスク３に記憶されたプログラムを実行することにより実現される。なお、複数のプロセッサおよび複数のメモリや複数のハードディスクが連携して上記機能を実現するようにしてもよい。なお、作成条件入力部１０１としてキーボードが使用され、出力装置としての表示装置１３１として液晶ディスプレイが使用されているが、プリンタを使用することもできる。
【００１４】
次に、図３〜図１０を用いて支援装置の動作について説明する。図３のフローチャートにおいて、作成条件入力部１０１から作成条件が入力され、作成条件記憶部１０２に記憶される（作成条件入力：ステップＳ１１）。入力画面の例を図４に示す。この場合、時間については訓練の開始時刻が入力され、訓練開始の起点とされるとともに事象進展のきっかけとなる開始事象（１次事象）が入力される。訓練シナリオ作成部１２１は、作成条件記憶部１０２に記憶された作成条件を読み込む（作成条件読み込み：ステップＳ１２）。なお、作成条件記憶部１０２には、作成条件入力部１０１から入力された作成条件の他に訓練シナリオ作成のために必要とされる条件が既定値として記憶されており、作成条件入力部１０１からの入力値がある場合は入力値が既定値に優先して作成条件として読み込まれ、入力値がない場合は既定値が読み込まれる。
【００１５】
次に、訓練シナリオ作成部１２１は、読み込んだ作成条件に合致する事象データ、すなわち作成条件入力部１０１から入力された開始事象を１次事象として有する事象データを事象データ記憶部１１１から抽出する（１次（１巡目）抽出：ステップＳ１３）。具体的には、例えば、作成条件として訓練の開始時刻が８：３０、開始事象１として「地震」、開始事象２として「１次冷却材喪失」が指定（入力）されているとする（図４参照）。この場合、ステップＳ１３（１巡目抽出）において、まずは指定された開始事象である「地震」および「１次冷却材喪失」を１次事象として有する事象データが事象データ記憶部１１１から抽出される。１巡目抽出において、「地震」を１次事象とする事象データは、図７のデータベースＤＢ１の行番０１の事象データ（「地震−全交流電源喪失」）ないし行番０５の事象データ（「地震−傷病者の搬送」までの５個あるので、これらの事象データが全て抽出される。また、開始事象「１次冷却材喪失」を１次事象とする事象データとして、図７のデータベースＤＢ１の行番１２の事象データ「１次冷却材喪失−原子炉トリップ」が抽出される（図５の１巡目抽出の事象データＡ１参照）。
【００１６】
次に、先に（１巡目抽出にて）抽出された事象データの中の２次事象を１次事象として有する事象データが事象データ記憶部１１１から抽出される。すなわち、抽出された事象データの中の２次事象をキーにして事象データが抽出される。以下、先に抽出された事象データの中の２次事象を１次事象として有する事象データを下位の事象データと称することにする。例えば、抽出した行番０１の事象データの下位の事象データとして、行番０８の事象データ「全交流電源喪失−主給水停止」と、行番０９の事象データ「全交流電源喪失−非常用炉心冷却装置不作動」とが抽出される。さらに、行番０２の事象データの下位の事象データである行番１５の事象データ「原子炉トリップ−１次系の減圧」と行番１６の事象データ「原子炉トリップ−原子炉内圧力上昇」とが抽出される。
【００１７】
同様に、行番０３、行番０４、行番０５、行番１２の事象データについても当該事象データの下位の事象データが抽出される（図５の２巡目抽出の事象データＡ２参照）（下位の事象データの抽出：ステップＳ１４）。先に（２巡目抽出にて）抽出された事象データの下位の事象データが残っていないかチェックし、すなわち全事象データを抽出したかチェックし（全事象データ抽出チェック：ステップＳ１５）、全事象データの抽出が終わっていなければステップＳ１４へ戻り、先に抽出された事象データの下位の事象データを全て抽出するまで抽出を繰り返し（図５の３巡目抽出の事象データＡ３参照）、全て抽出されれば（ステップＳ１５）、次のステップＳ１６へ行く。このようにして抽出された事象データの関係を図５に示す。なお、図５において、４巡目抽出以下は図示が省略されている。以上で作成条件として指定された開始事象である「地震」（行番０１〜行番０５）および「１次冷却材喪失」（行番１２）を１次事象として有する事象データに、２次事象を介して連なる事象データの抽出は終了する。
【００１８】
次いで、抽出された事象データの中の第１事象および第２事象について、対応するＥＡＬ（番号）があればＥＡＬ記憶部１１２（図８のＥＡＬのデータベースＤＢ２参照）から取り出される（ＥＡＬ抽出：ステップＳ１６）。以上により、開始事象ごとに、２次事象をキーにして連なる事象データおよびＥＡＬが抽出され、事象データの中の第１事象および第２事象、遅延時間、遅延時間の変更可否、変更後遅延時間、および対応するＥＡＬが、時系列に関連付けられて、訓練シナリオが作成される（訓練シナリオ作成：ステップＳ１７）。訓練シナリオは、開始事象ごとに作成されることになる。この場合、同じ事象例えば図７における行番０１の事象データ「地震−全交流電源喪失」に連なる行番０８の事象データ「全交流電源喪失−主給水停止」と、行番０４の事象データ「地震−火災」に行番０６の事象データ「火災−全交流電源喪失」を介して連なる行番０８の事象データ「全交流電源喪失−主給水停止」は、同じ事象データであるので、時間的に先に発生した方を採用することにする。
【００１９】
次いで、ユーザが訓練シナリオをカスタマイズするときの支援をするために、訓練シナリオ作成部１２１は、作成された訓練シナリオについて、訓練シナリオ同士で類似したものがないか検索し、類似したものがあれば、例えば一つの事象（１次または２次事象）のみ異なる訓練シナリオがあれば、当該一つの事象のみ異なる他の訓練シナリオが存在すること、および異なる事象に識別マークをつけた類似訓練シナリオ情報を作成する（類似訓練シナリオの検出：ステップＳ１８）。次に、難易度算出部１２１ａが、開始事象ごとに、すなわち訓練シナリオごとに、事象データの中の第１事象および第２事象に対応する手順数を手順数記憶部１１３（図９の手順数のデータベースＤＢ３参照）から選択し、抽出された全ての１次事象および２次事象における手順数を開始事象（訓練シナリオ）ごとに合計して、予め決められた評価方法、例えば一つの手順を単純に０．１点として合計するなどして難易度を算出する（難易度の算出：ステップＳ１９）。さらに、訓練シナリオ選択部１２１ｂは、訓練シナリオを難易度の高い順に予め決めれた数だけ、例えば上位５個の訓練シナリオを選択し、難易度、類似訓練シナリオ情報と併せて画面データ作成部１２１ｃへ送る（訓練シナリオの選択：ステップＳ２０）。
【００２０】
画面データ作成部１２１ｃは、訓練シナリオ選択部１２１ｂから送られた訓練シナリオおよび難易度について、図１０のように、難易度の高い順に、選択された訓練シナリオごとに、難易度を表示するとともに、抽出された事象データの中の第１事象および第２事象、対応するＥＡＬ、遅延時間を、開始事象の発生時点を起点にしてかつ前記発生時間を訓練開始時刻８：３０に設定して、時系列にかつ遅延時間に対応させて配置して表示する画面データを作成する。さらに、類似訓練シナリオ情報に基づいて、類似した他の訓練シナリオが存在することおよび類似事象を表示の色を変えかつ点滅表示するなどにより容易に認知できるようにする画面データを作成する（画面データの作成：ステップＳ２１）。画面データ作成部１２１ｃで作成された出力データとしての画面データは、表示装置１３１に出力され、画面データに基づいて画面に表示される（表示装置へ表示：ステップＳ２２）。表示装置１３１には、例えば図１０のような訓練シナリオが、作成条件として指定された開始事象（「地震」、「１次冷却材喪失」）ごとに、その難易度とともに表示される。なお、図１０においては、選択された訓練シナリオの一部、および訓練シナリオの中に配置された第１事象、第２事象、遅延時間、ＥＡＬなどの一部だけが示されている。
【００２１】
訓練シナリオの作成条件の指定に当たっては、広範囲に影響の及ぶ訓練シナリオを作成したい場合は、開始事象（１次事象）として図７の事象データのデータベースＤＢ１の中の「地震」や「火災」などを指定するし、影響の及ぶ範囲が比較的狭い訓練シナリオを作成したい場合は、下位の例えば「原子炉内圧力上昇」等を指定する。
【００２２】
なお、この実施の形態においては、各種データを、事象データのデータベースＤＢ１、ＥＡＬのデータベースＤＢ２、手順数のデータベースＤＢ３の３つのリレーショナルデータベースで構成したが、データベースの構成はこのようなものに限定されるものではない。また、訓練シナリオ作成部１２１が、抽出を１巡目抽出、２巡目抽出、３巡目抽出の順に行う例を示したが、これに限られるものではなく、例えば図６の経路Ｒ１のように開始事象「地震」を基点にして行番０１の事象データ「地震−全交流電源喪失」→行番０８の事象データ「全交流電源喪失−主給水停止」→行番１３の事象データ「主給水停止−原子炉トリップ」、次いで経路Ｒ２の行番０９の事象データ「全交流電源喪失−非常用炉心冷却装置不作動」の順に検索（抽出）し、次に経路Ｒ３の行番０２の事象データ「地震−原子炉トリップ」→行番１５の事象データ「原子炉トリップ−１次系の減圧」まで抽出し、次の経路Ｒ４である行番１６の事象データ「原子炉トリップ−原子炉内圧力上昇」→行番１７の事象データ「原子炉内圧力上昇−ベント弁開」の順に抽出を行うこともできる。また、作成条件にて指定された開始事象（１次事象）によっては、２巡目抽出や３巡目抽出を行おうとしても該当する事象データがない場合もある。なお、第１事象および第２事象に対応するＥＡＬの抽出（ステップＳ１６）は、ステップＳ１３の１巡目抽出およびステップＳ１４の下位の事象データの抽出の都度行ってもよい。
【００２３】
以上のように、この実施の形態に係る支援装置によれば、訓練の開始時刻や事象発生の基点となる開始事象（１次事象）などの訓練シナリオの作成条件に従い、原因となる１次事象と結果として生じる２次事象とＥＡＬとを時間を軸にして時系列に配置して表示装置に出力するようにしたので、多様な事象に対応可能なプラントの訓練シナリオを作成することができる訓練シナリオ作成支援装置を得ることができる。また、訓練シナリオ作成の負荷が軽減される。
【００２４】
実施の形態２．
図１１〜図１５は、実施の形態２を示すものであり、図１１は支援装置の構成を示すブロック図、図１２は図１１の支援装置の動作を説明するためのフローチャートである。図１３は第１付加情報のデータベースを示す説明図、図１４は第２付加情報のデータベースを示す説明図、図１５は作成された訓練シナリオの画面を示す説明図である。本実施の形態では、付加情報として、各訓練シナリオの実施に必要な人数、訓練の対象となる機器、使用する手順書などの情報も併せて求める。図１０において、支援装置２０は、付加情報記憶部２１１および訓練シナリオ作成部２２１を有する。付加情報記憶部２１１は、第１付加情報記憶部２１１ａおよび第２付加情報記憶部２１１ｂを有する。訓練シナリオ作成部２２１は、画面データ作成部２２１ｃを有する。第１付加情報記憶部２１１ａには、訓練の対象となるプラントの機器名すなわち発生した事象に関係する機器（例えば、全交流電源喪失の場合なら受電用変圧器や遮断器などが関係する）などの第１付加情報が、事象と対応させて記憶されている（図１３参照）。第２付加情報記憶部２１１ｂには、訓練に必要な人数、手順書などの第２付加情報が、事象と対応させて記憶されている（図１４参照）。なお、手順書には、事象に対応する訓練（以下、事象対応訓練または２次事象対応訓練という）に要する時間が記載されている。その他の構成については、図１に示した実施の形態１と同様のものであるので、相当するものに同じ符号を付して説明を省略する。
【００２５】
次に、図１２のフローチャートにより動作を説明する。図１２において、訓練シナリオ作成部２２１の動作は、ステップＳ２０の訓練シナリオの選択までは、図１の訓練シナリオ作成部１２１と同様であるが、ステップＳ３１において、ステップＳ２０において選択された訓練シナリオ中の第１事象あるいは第２事象に対応する第１付加情報（機器名）が第１付加情報記憶部２１１ａから抽出され、ステップＳ３２において第２付加情報（人数、手順書名）が第２付加情報記憶部２１１ｂから抽出される。画面データ作成部２２１ｃは、第１付加情報に基づいて訓練シナリオごとに訓練の対象となる機器名のリストを作成し、第２付加情報に基づいて訓練に必要な人数を積算するとともに手順名のリストを作成し、訓練シナリオ、難易度と併せて表示するための画面データを作成する（ステップＳ３３）。このようにして作成された出力データとしての画面データが表示装置１３１に出力され、画面データに基づいて訓練シナリオを含む図１５に示されるような画面が表示装置１３１に表示される（ステップＳ２２）。なお、要すれば、手順書に基づいて、対応する事象対応訓練を実施するための所要時間が、図１５に示される訓練シナリオの内容欄に表示されるようにすることもできる。
【００２６】
以上のように、この実施の形態に係る支援装置によれば、各訓練シナリオの実施に必要な人数、対象とされる機器名、手順書名などの付加情報についても確認できるため、偏りのない訓練シナリオの選択や訓練に付随した準備作業の負荷が軽減される。
【００２７】
実施の形態３．
図１６〜図１９は、実施の形態３を示すものであり、図１６は支援装置の構成を示すブロック図、図１７は図１６の支援装置の動作を説明するためのフローチャートである。図１８は全機器と訓練の対象となる機器との関係を示す説明図、図１９は全手順書と訓練の対象となる手順書との関係を示す説明図である。図１６において、支援装置３０は、訓練シナリオ作成部３２１を有する。訓練シナリオ作成部３２１は、画面データ作成部３２１ｃを有する。その他の構成については、図１１に示した実施の形態２と同様のものであるので、相当するものに同じ符号を付して説明を省略する。
【００２８】
以下、図１７〜図１９により動作を説明する。図１７のフローチャートにおいて、訓練シナリオ作成部３２１の動作はステップＳ３２の第２付加情報の抽出までは、図１１の訓練シナリオ作成部２２１と同様であるが、ステップＳ３２に続いて第１付加情報記憶部２１１ａからプラントを構成する全体の機器（全機器）の情報、具体的には全体の機器の機器名を取得する（全機器情報の取得：ステップＳ４１）。また、第２付加情報記憶部２１１ｂから全体の手順書（全手順書）の情報、具体的には全手順書名を取得する（全手順書情報の取得：ステップＳ４２）。画面データ作成部３２１ｃは、例えば図１８に示すように、全機器の機器名をツリー状に関連付けて画像表示するとともに、ステップＳ３１にて抽出された機器名がどこに位置しているかを容易に認識できるように該当機器名を太枠で囲む、機器名の表示色を変えるなどの方法（図１８においては、該当機器名を太枠で囲んでいる）により表示するための画面データを作成する。同様に、図１９に示すように全手順書の手順書名をツリー状に関連付けて画像表示するとともに、ステップＳ３２にて抽出された手順書名がどこに位置しているかを容易に認識できるように該当手順書名を太枠で囲む、手順書名の表示色を変えるなどの方法（図１９においては、該当手順書名を太枠で囲んでいる）により表示するための画面データを作成する（画面データの作成：ステップＳ４３）。作成された出力データとしての画像データは表示装置１３１へ送られ、表示装置１３１は当該画像データに基づき、機器名、手順書名をツリー表示する（ステップＳ２２）（図１８、図１９参照）。図１８や図１９に示した画面は、画面上で複数のウインドウで重ならないように「上下」や「左右」に並べて表示してもよいし、ウインドウの切替、マルチディスプレイにて表示してもよい。また、ステップＳ４１、ステップＳ４２で全機器情報、全手順書情報を付加情報記憶部２１１から取得するものを示したが、これに限られるものではなく、予め例えば画面データ作成部３２１ｃにて全機器情報、全手順書情報を記憶しておくようにしてもよい。但し、機器情報、手順書情報が変更されたときに、付加情報記憶部２１１および画面データ作成部３２１ｃの両方の情報の変更が必要になる。
【００２９】
以上のように、この実施の形態によれば、各訓練シナリオにて対象とされる機器や手順書の範囲を確認することができるため、複数の訓練シナリオによって機器や手順書を網羅的に使用できるよう訓練シナリオを選択しやすくなり、より充実した訓練シナリオの作成や選択を行うことができる。
【００３０】
実施の形態４．
図２０、図２１は、実施の形態４を示すものであり、図２０は支援装置の構成を示すブロック図、図２１は作成条件の入力画面を示す説明図である。図２０において、支援装置４０は、作成条件入力部４０１および作成条件記憶部４０２を有する。その他の構成については、図１１に示した実施の形態２と同様のものであるので、相当するものに同じ符号を付して説明を省略する。実施の形態１〜３では、作成条件は訓練の開始時刻および開始事象という訓練シナリオを作成するための少ない条件を設定する場合であったが、これでは作成される訓練シナリオの数が多くなり、多数の訓練シナリオの中から選択しなければならなくなる。このような事態を避けるために、この実施の形態においては、作成条件としてより多くの条件を入力できるようにし、作成される訓練シナリオを予め絞ることができるようにしたものである。
【００３１】
図２１は、作成条件入力部４０１にて入力される作成条件の入力フォーム画面例であり、訓練の開始時刻、開始事象、の他に、訓練の終了時刻、事象発生制限時間、含めたいＥＡＬ、訓練の人数の最小値および最大値、訓練の対象に含めたい機器、遅延時間変更の可否といった訓練の要素を作成条件として入力可能としている。なお、事象発生制限時間とは、開始事象が発生してから何時間後に発生した２次事象までを訓練の対象に含めるかを制限する時間であり、この事象発生制限時間を過ぎてから発生する２次事象は訓練の対象に含められない。従って、この最終となる２次事象が発生した後、当該２次事象対応訓練が終了すれば訓練の終了となる。従って、訓練開始から終了までの時間は、事象発生制限時間に最終となる２次事象に対応する２次事象対応訓練の時間を加えたものとなる。作成条件記憶部４０２は、これらの作成条件入力部４０１から入力された作成条件を記憶する。訓練シナリオ作成部３２１は、作成条件記憶部４０２から前記のような作成条件を読み出し、当該作成条件を満たす訓練シナリオを作成する。以降の動作は図１２のフローチャートに示されたのと同様である。
【００３２】
訓練の時間に制限を設ける場合は、例えば、作成条件入力部１０１から開始時刻を８：３０、終了時刻１２：３０と入力された場合、３巡目抽出、４巡目抽出、５巡目抽出と高い次数まで、すなわち下位の階層まで抽出を行った場合であっても、時系列に配置された第１事象、第２事象、あるいはＥＡＬの発生時刻が前記事象発生制限時間である３時間３０分に相当する正午を過ぎる場合は、訓練シナリオ作成部３２１において、過ぎる部分については打ち切られ、訓練シナリオの内訳に含められない。また、訓練の対象に含められる最終の２次事象に対応する２次事象対応訓練が、訓練の終了時刻１２時３０分までに終了しない場合は、当該２次事象名が赤色で表示される等の識別表示がなされる。２次事象対応訓練に要する時間は、前述の通り、事象に対応する手順書に記載されている。なお、この場合の難易度の算出には、前記訓練時間の制限により訓練シナリオから削除された第１事象、第２事象に対応する手順数は含めない。
【００３３】
このように、この実施の形態によれば、より多くの作成条件を設定することにより、より希望に合った訓練シナリオを選択しやすくなる。
【００３４】
実施の形態５．
図２２、図２３は、実施の形態５を示すものであり、図２２は支援装置の構成を示すブロック図、図２３は図２２の支援装置の動作を説明するためのフローチャートである。図２２において、支援装置５０は、過去訓練シナリオ記憶部５１１および訓練シナリオ作成部５２１を有する。訓練シナリオ作成部５２１は、難易度修正部５２１ａを有する。その他の構成については、図１１に示した実施の形態２と同様のものであるので、相当するものに同じ符号を付して説明を省略する。訓練シナリオの難易度の評価に当たって、過去に実施した訓練シナリオに類似したものは、類似の程度に応じて難易度を下げて評価することが好ましい。この実施の形態においては、過去訓練シナリオ記憶部５１１に過去に実施した訓練シナリオを記憶させておき、難易度修正部５２１ａは作成された訓練シナリオと過去に実施した訓練シナリオとを比較し、その類似度を勘案して難易度を修正する。
【００３５】
次に、図２３のフローチャートを用いて動作を説明する。作成条件を満たす訓練シナリオについて難易度の算出（ステップＳ１９）までは、図１２に示すフローチャートと同様であるが、ステップＳ１９とステップＳ２０（訓練シナリオの選択）との間において、訓練シナリオ作成部５２１は、過去訓練シナリオ記憶部５１１から過去に実施した訓練シナリオを検出する（過去訓練シナリオの検出：ステップＳ５１）。難易度修正部５２１ａは、過去に実施した訓練シナリオと今回作成した訓練シナリオとの類似度に応じて、例えば過去に実施した訓練シナリオの中の事象と今回作成した訓練シナリオの中の事象とを対比し、同じ事象が含まれる場合には、その事象の数に応じて難易度の数字を小さくする（難易度の修正：ステップＳ５２）。これにより、過去に実施した訓練シナリオと類似した訓練シナリオの難易度は低くなり、過去と異なる訓練シナリオの難易度は相対的に高くなるように修正される。難易度が修正された後は、修正された難易度に基づいて、難易度の高い順に所定個数の訓練シナリオを選択し（ステップＳ２１）、以降の動作は図１２のフローチャートに示されたのと同様に動作する。
【００３６】
以上のように、この実施の形態によれば、過去に実施した訓練シナリオと異なった訓練シナリオを選択しやすくなるため、訓練シナリオ作成における対応作業の負荷が軽減される。
【００３７】
以上の各実施の形態においては、プラントが原子力発電プラントである場合について説明したが、原子力発電プラントに限られるものではなく、火力発電プラントや産業プラント等であっても同様の効果を奏する。また、出力装置として液晶を使用した表示装置を示したが、プリンタなどの出力装置であっても同様の効果を奏する。
【００３８】
なお、本発明は、その発明の範囲内において、各実施の形態を自由に組み合わせたり、各実施の形態を適宜、変形、省略したりすることが可能である。
【符号の説明】
【００３９】
１  プロセッサ、２  メモリ、３  ハードディスク、
１０，２０，３０，４０，５０  支援装置、１０１  作成条件入力部、
１０２  作成条件記憶部、１１１  事象データ記憶部、１１２  ＥＡＬ記憶部、
１１３  手順数記憶部、１２１  訓練シナリオ作成部、１２１ａ  難易度算出部、
１２１ｂ  訓練シナリオ選択部、１２１ｃ  画面データ作成部、１３１  表示装置、
２１１  付加情報記憶部、２１１ａ  第１付加情報記憶部、
２１１ｂ  第２付加情報記憶部、２２１  訓練シナリオ作成部、
２２１ｃ  画面データ作成部、３２１  訓練シナリオ作成部、
３２１ｃ  画面データ作成部、４０１  作成条件入力部、４０２  作成条件記憶部、
５１１  過去訓練シナリオ記憶部、５２１  訓練シナリオ作成部、
５２１ａ  難易度修正部。
【図１】
2018106013.tif 000003
【図２】
2018106013.tif 000004
【図３】
2018106013.tif 000005
【図４】
2018106013.tif 000006
【図５】
2018106013.tif 000007
【図６】
2018106013.tif 000008
【図７】
2018106013.tif 000009
【図８】
2018106013.tif 000010
【図９】
2018106013.tif 000011
【図１０】
2018106013.tif 000012
【図１１】
2018106013.tif 000013
【図１２】
2018106013.tif 000014
【図１３】
2018106013.tif 000015
【図１４】
2018106013.tif 000016
【図１５】
2018106013.tif 000017
【図１６】
2018106013.tif 000018
【図１７】
2018106013.tif 000019
【図１８】
2018106013.tif 000020
【図１９】
2018106013.tif 000021
【図２０】
2018106013.tif 000022
【図２１】
2018106013.tif 000023
【図２２】
2018106013.tif 000024
【図２３】
2018106013.tif 000025